(57)【特許請求の範囲】
【請求項１】
第１の共振周波数を有するアルホードループアンテナを備え、
前記アルホードループアンテナは、
円形または多角形状に配置され、各々が第１および第２のアンテナ素子を有する複数のダイポールアンテナと、
前記アルホードループアンテナの中心部に設けられた第１および第２の給電点と、
各ダイポールアンテナの前記第１のアンテナ素子の基端部と前記第１の給電点との間に接続された第１の配線と、
各ダイポールアンテナの前記第２のアンテナ素子の基端部と前記第２の給電点との間に接続された第２の配線とを含み、
さらに、各隣接する第１および第２のアンテナ素子の先端部の間に接続され、前記第１の共振周波数の信号を遮断し、前記第１の共振周波数よりも低い第２の共振周波数の信号に対してローディングコイルとして動作するコイルを備え、
前記コイルと、そのコイルを介して接続された前記第１および第２のアンテナ素子と前記第１および第２の配線とは前記第２の共振周波数を有するループアンテナを構成することを特徴とする、アンテナ装置。
【請求項２】
さらに、各ダイポールアンテナに含まれる前記第１および第２のアンテナ素子の各々に沿って設けられ、そのダイポールアンテナの周波数帯域を広げるための共振素子を備えたことを特徴とする、請求項１に記載のアンテナ装置。
【請求項３】
上下に平行に設けられた２枚の基板を備え、
前記第１のアンテナ素子、前記第１の給電点、および前記第１の配線は前記２枚の基板のうちの一方の基板に形成され、
前記第２のアンテナ素子、前記第２の給電点、および前記第２の配線は他方の基板に形成され、
前記共振素子は前記２枚の基板の間に設けられていることを特徴とする、請求項２に記載のアンテナ装置。
【請求項４】
１枚の基板を備え、
前記第１のアンテナ素子、前記第１の給電点、および前記第１の配線は前記基板の表面に形成され、
前記第２のアンテナ素子、前記第２の給電点、および前記第２の配線は前記基板の裏面に形成され、
前記共振素子は前記第１および第２のアンテナ素子の外側に設けられていることを特徴とする、請求項２に記載のアンテナ装置。
【請求項５】
１枚の基板を備え、
前記第１のアンテナ素子、前記第１の給電点、および前記第１の配線は前記基板の表面に形成され、
前記第２のアンテナ素子、前記第２の給電点、および前記第２の配線は前記基板の裏面に形成され、
前記共振素子は前記第１および第２のアンテナ素子の内側に設けられていることを特徴とする、請求項２に記載のアンテナ装置。
【請求項６】
さらに、各々が前記第１の共振周波数の信号の略４分の１波長の長さを有し、それぞれ前記第１および第２の配線と直交する第１および第２のスタブを備えたことを特徴とする、請求項１から請求項５までのいずれかに記載のアンテナ装置。
【発明の詳細な説明】
【技術分野】
【０００１】
この発明はアンテナ装置に関し、特に、アルホードループアンテナを備えたアンテナ装置に関する。
【背景技術】
【０００２】
従来より、水平偏波を受信または送信するための無指向性のアンテナ装置としてアルホードループアンテナが知られている。このアルホードループアンテナは、複数（たとえば８つ）の円弧状のアンテナ素子を円形に配置し、隣接する各１対のアンテナ素子によってダイポールアンテナを構成したものである（たとえば、非特許文献１参照）。
【非特許文献１】アンテナ工学ハンドブック、６４頁、電子情報通信学会編、オーム社発行
【発明の開示】
【発明が解決しようとする課題】
【０００３】
しかし、従来のアルホードループアンテナでは、その寸法により受信または送信可能な電波の周波数帯域が決まるので、たとえばＦＭ（Frequency Modulation）放送の電波とＵＨＦ（Ultra High Frequency）放送の電波を受信または送信するためには、ＦＭ放送用とＵＨＦ放送用の２台のアンテナを設ける必要があり、装置寸法が大きくなるという問題があった。
【０００４】
それゆえに、この発明の主たる目的は、２つの周波数帯域の電波を受信または送信することが可能な小型で薄型のアンテナ装置を提供することである。
【課題を解決するための手段】
【０００５】
この発明に係るアンテナ装置は、第１の共振周波数を有するアルホードループアンテナを備えたものである。このアルホードループアンテナは、円形または多角形状に配置され、各々が第１および第２のアンテナ素子を有する複数のダイポールアンテナと、アルホードループアンテナの中心部に設けられた第１および第２の給電点と、各ダイポールアンテナの第１のアンテナ素子の基端部と第１の給電点との間に接続された第１の配線と、各ダイポールアンテナの第２のアンテナ素子の基端部と第２の給電点との間に接続された第２の配線とを含む。このアンテナ装置は、さらに、各隣接する第１および第２のアンテナ素子の先端部の間に接続され、第１の共振周波数の信号を遮断し、第１の共振周波数よりも低い第２の共振周波数の信号に対してローディングコイルとして動作するコイルを備え、コイルと、そのコイルを介して接続された第１および第２のアンテナ素子と第１および第２の配線とは第２の共振周波数を有するループアンテナを構成することを特徴とする。
【０００６】
好ましくは、さらに、各ダイポールアンテナに含まれる第１および第２のアンテナ素子の各々に沿って設けられ、そのダイポールアンテナの周波数帯域を広げるための共振素子を備える。
【０００７】
また好ましくは、上下に平行に設けられた２枚の基板を備え、第１のアンテナ素子、第１の給電点、および第１の配線は２枚の基板のうちの一方の基板に形成され、第２のアンテナ素子、第２の給電点、および第２の配線は他方の基板に形成され、共振素子は２枚の基板の間に設けられる。
【０００８】
また好ましくは、１枚の基板を備え、第１のアンテナ素子、第１の給電点、および第１の配線は基板の表面に形成され、第２のアンテナ素子、第２の給電点、および第２の配線は基板の裏面に形成され、共振素子は第１および第２のアンテナ素子の外側に設けられる。
【０００９】
また好ましくは、１枚の基板を備え、第１のアンテナ素子、第１の給電点、および第１の配線は基板の表面に形成され、第２のアンテナ素子、第２の給電点、および第２の配線は基板の裏面に形成され、共振素子は第１および第２のアンテナ素子の内側に設けられる。
【００１０】
また好ましくは、さらに、各々が第１の共振周波数の信号の略４分の１波長の長さを有し、それぞれ第１および第２の配線と直交する第１および第２のスタブを備える。
【発明の効果】
【００１１】
この発明に係るアンテナ装置では、第１の共振周波数を有するアルホードループアンテナの各隣接する第１および第２のアンテナ素子の先端部の間に、第１の共振周波数の信号を遮断し、第１の共振周波数よりも低い第２の共振周波数の信号に対してローディングコイルとして動作するコイルが接続され、そのコイルと、そのコイルを介して接続された第１および第２のアンテナ素子と第１および第２の配線とは第２の共振周波数を有するループアンテナを構成する。したがって、２つの周波数帯域の電波を受信または送信することが可能な小型で薄型のアンテナ装置を実現できる。
【発明を実施するための最良の形態】
【００１２】
図１（ａ）は、この発明の一実施の形態によるアンテナ装置の要部を示す斜視図であり、図１（ｂ）は図１（ａ）に示したアンテナ装置の要部を示す正面図である。
【００１３】
図１（ａ）（ｂ）において、このアンテナ装置は、水平に配置された円形のプリント基板１と、プリント基板１の上方に水平に配置された円形のプリント基板２と、２枚のプリント基板１，２の間に配置された４つの共振素子３とを備える。プリント基板１，２と共振素子３は、図示しない絶縁部材を介して固定されている。プリント基板１，２の直径はたとえば３５０ｍｍであり、プリント基板１，２の表面の導電層１ａ，２ａの間隔はたとえば２５ｍｍである。
【００１４】
また、このアンテナ装置は、図２（ａ）に示すように、プリント基板１の表面の導電層１ａによって形成された４つのアンテナ素子４、４本の配線５、４本のスタブ６、および給電点Ｐ１を備える。プリント基板１の外周である円７は８つの円弧に等分割されており、アンテナ素子４は、各奇数番の円弧の内側に沿って円弧状に形成されている。アンテナ素子４の幅はたとえば６ｍｍであり、その長さはたとえば１３７ｍｍである。
【００１５】
給電点Ｐ１は、プリント基板１の表面の中心点に形成されている。配線５は、給電点Ｐ１と、各アンテナ素子４の一方側端部（給電点Ｐ１から見て左側端部）との間に接続されている。配線５の長さは、たとえば１７５ｍｍである。
【００１６】
４本のスタブ６は、それぞれ４本の配線５に対応して設けられる。各スタブ６と、それに対応する配線５とは、給電点Ｐ１から、たとえば１００ｍｍの位置で直交している。各スタブ６の幅はたとえば６ｍｍであり、その長さはたとえば１４０ｍｍである。スタブ６は、アンテナ装置のＶＳＷＲ（Voltage Standing Wave Ratio：電圧定在波比）の低減化のために設けられている。
【００１７】
換言すると、円７において、時計の１２時の位置を０度とすると、４つのアンテナ素子４は、それぞれ０〜４５度、９０〜１３５度、１８０〜２２５度、２７０〜３１５度の円弧の内側に沿って形成され、４本の配線５は、それぞれ０度、９０度、１８０度、および２７０度の位置に形成され、４本のスタブ６は、それぞれ０度、９０度、１８０度、および２７０度の位置に形成されている。また、アンテナ素子４およびスタブ６の各々は、ＵＨＦ放送の電波の波長の４分の１程度に設定されている。
【００１８】
また、このアンテナ装置は、図２（ｂ）に示すように、プリント基板２の表面の導電層２ａによって形成された４つのアンテナ素子８、４本の配線９、４本のスタブ１０、および給電点Ｐ２を備える。プリント基板２の外周である円１１は８つの円弧に等分割されており、アンテナ素子８は、各偶数番の円弧の内側に沿って円弧状に形成されている。アンテナ素子８の幅はたとえば６ｍｍであり、その長さはたとえば１３７ｍｍである。
【００１９】
給電点Ｐ２は、プリント基板２の表面の中心点に形成されている。配線９は、給電点Ｐ２と、各アンテナ素子８の一方側端部（給電点Ｐ２から見て右側端部）との間に接続されている。配線９の長さは、たとえば１７５ｍｍである。
【００２０】
４本のスタブ１０は、それぞれ４本の配線９に対応して設けられる。各スタブ１０と、それに対応する配線９とは、給電点Ｐ２から、たとえば１００ｍｍの位置で直交している。各スタブ１０の幅はたとえば６ｍｍであり、その長さはたとえば１４０ｍｍである。スタブ１０は、アンテナ装置のＶＳＷＲの低減化のために設けられている。
【００２１】
換言すると、円１１において、時計の１２時の位置を０度とすると、４つのアンテナ素子８は、それぞれ４５〜９０度、１３５〜１８０度、２２５〜２７０度、３１５〜３６０度の円弧の内側に沿って形成され、４つの配線９は、それぞれ０度、９０度、１８０度、および２７０度の位置に形成され、４本のスタブ１０は、それぞれ０度、９０度、１８０度、および２７０度の位置に形成されている。また、アンテナ素子１１およびスタブ１０の各々は、ＵＨＦ放送の電波の波長の４分の１程度に設定されている。
【００２２】
また図２（ｃ）に示すように、４つの共振素子３は、円７，１１と同径で、円７，１１の中間に位置する円１２の内側に沿って、それぞれ０度、９０度、１８０度、および２７０度の位置に円弧状に形成されている。共振素子３の中心は、配線５，９の先端部（給電点Ｐ１，Ｐ２と反対側の端部）に対向して配置されている。共振素子３は、たとえば金属薄板で形成され、プリント基板１，２の導電層１ａ，２ａの中間に配置される。共振素子３の一方端から他方端までの直線距離は、たとえば２００ｍｍである。したがって、共振素子３は、対応するアンテナ素子４の中央部と対応するアンテナ素子８の中央部との間の範囲で、対応するアンテナ素子４，８の各々に対向して設けられている。共振素子３は、対応するアンテナ素子４，８の周波数帯域を広げるために設けられている。
【００２３】
図３は、アンテナ装置の要部と電気回路部を示す図である。図３において、アンテナ装置は、４組のアンテナ素子４，８と、４組の配線５，９と、２つの給電点Ｐ１，Ｐ２とを含み、これらはアルホードループアンテナを構成する。同じ位置に上下に配置された配線５，９に接続された１対のアンテナ素子４，８は、ダイポールアンテナ１３を構成する。したがって、このアンテナ装置は、４方向に向けられた４組のダイポールアンテナ１３を含む。
【００２４】
このアンテナ装置は、ＦＭ放送およびＵＨＦテレビ放送の電波の受信または再送信を行なうために使用される。したがって、アンテナ素子４，８の各々は、ＵＨＦテレビ放送の電波の略４分の１波長の長さに設定されている。なお、日本では、ＵＨＦテレビ放送の電波の周波数範囲は４７０〜７７０ＭＨｚ（１３〜６２チャンネル）であり、特に、地上波デジタルテレビ放送の場合、周波数範囲は４７０〜５９０ＭＨｚである。
【００２５】
アンテナ装置は、同軸線１４を介してテレビ受信機または再送信装置に接続される。この再送信装置については、後述する。同軸線１４の外部導体（接地線）は給電点Ｐ１に接続され、同軸線１４の内部導体（信号線）はコンデンサ１５およびコイル１６の並列接続体を介して給電点Ｐ２に接続される。
【００２６】
コンデンサ１５の容量値は、ＵＨＦテレビ放送の周波数帯域の信号を通過させ、ＦＭ放送の周波数帯の信号を遮断するように設定され、たとえば４．５ｐＦに設定される。また、コイル１６のインダクタンスは、ＦＭ放送の周波数帯域の信号を通過させ、ＵＨＦテレビ放送の周波数帯の信号を遮断するように設定される。コイル１６としては、たとえば、線径が０．９ｍｍの銅線を直径が６ｍｍになるように８回巻いたものが使用される。したがって、コンデンサ１５およびコイル１６により、ＦＭ放送およびＵＨＦテレビ放送以外の不要な信号が遮断される。
【００２７】
また、このアンテナ装置は、各隣接するアンテナ素子４，８の先端部（配線５，９に接続されていない方の端部）の間に接続されたコイル１７を備える。コイル１７のインダクタンスは、ＵＨＦテレビ放送の周波数帯域の信号を遮断し、ＦＭ放送の周波数帯の信号に対してはコイル１７がローディングコイルとして動作するように設定される。コイル１７としては、たとえば、線径が０．９ｍｍの銅線を直径が６ｍｍになるように５回巻いたコイルと、線径が０．９ｍｍの銅線を直径が１５ｍｍになるように７回巻いたコイルと、線径が０．９ｍｍの銅線を直径が６ｍｍになるように５回巻いたコイルとの直列接続体が使用される。
【００２８】
このコイル１７を設けたことにより、ＦＭ放送の周波数帯域の信号に対しては、コイル１７と、そのコイル１７の一方端子に接続されたアンテナ素子４および配線５と、そのコイル１７の他方端子に接続されたアンテナ素子８および配線９とは、ローディングコイルを有するループアンテナを構成する。
【００２９】
したがって、このアンテナ装置は、ＵＨＦテレビ放送の周波数帯域の信号に対しては、０度、９０度、１８０度、および２７０度の４方向に向けられた４つのダイポールアンテナ１３として動作し、ＦＭ放送の周波数帯域の信号に対しては、４５度、１３５度、２２５度、および３１５度の４方向に向けられた４つのループアンテナとして動作する。また、４つのダイポールアンテナ１３と４つのループアンテナは、給電点Ｐ１，Ｐ２に共通接続されているので、水平面において無指向性を得ることができる。
【００３０】
図４（ａ）（ｂ）はアンテナ装置の利得およびＶＳＷＲのＦＭ帯における周波数特性を示す図であり、図５（ａ）（ｂ）はアンテナ装置の利得およびＶＳＷＲのＵＨＦ帯における周波数特性を示す図である。これらの図４（ａ）（ｂ）および図５（ａ）（ｂ）から、このアンテナ装置は、ＦＭ帯およびＵＨＦ帯の両方において十分に高い利得と十分に低いＶＳＷＲを有することが分かる。また、図６（ａ）（ｂ）は、このアンテナ装置のＦＭ帯とＵＨＦ帯における指向性を示す図である。図６（ａ）（ｂ）から、このアンテナ装置はＦＭ帯およびＵＨＦ帯の両方において良好な無指向性を示すことが分かる。
【００３１】
図７は、このアンテナ装置の使用方法を例示する図である。図７において、このアンテナ装置は、再送信アンテナ２０として使用される。再送信アンテナ２０は、地下街２１の天井に所定の間隔で設置される。ＦＭ放送およびＵＨＦテレビ放送の電波は、屋外に設置された受信アンテナ２２で受信され、電気／光変換器（Ｅ／Ｏ）２３で光信号に変換される。この光信号は、光ファイバ２４を介して光／電気変換器２５に伝達され、電気信号に変換される。この電気信号は、電力増幅器（Ｐ／Ａ）２６で増幅され、同軸線１４を介して再送信アンテナ２０に供給され、地下街２１内に送信される。これにより、地下街２１内でも、ＦＭ放送およびＵＨＦテレビ放送を視聴することができる。また、再送信アンテナ２０は小型で薄型であるので、地下街２１の天井に容易に設置することができ、美観を損ねることもない。
【００３２】
また、このアンテナ装置は、ＦＭ放送とＵＨＦ放送の両方を受信する屋外アンテナまたは室内アンテナとして使用することも可能である。従来の室内アンテナでは、ＦＭ放送やＶＨＦ放送を受信するためのロッドアンテナが本体から突出していたが、このアンテナ装置では突出物は無いので、設置スペースが小さくて済む。
【００３３】
なお、この実施の形態では、アンテナ素子４、配線５、スタブ６、および給電点Ｐ１をプリント基板１の表面側に設けたが、それらをプリント基板１の裏面側に設けてもよい。また、アンテナ素子８、配線９、スタブ１０、および給電点Ｐ２をプリント基板２の表面側に設けたが、それらをプリント基板２の裏面側に設けてもよい。また、アンテナ素子４，８、配線５，９、スタブ６，１０、および給電点Ｐ１，Ｐ２をプリント基板１，２の導電層１ａ，２ａで形成したが、それらを板金で形成してもよい。
【００３４】
また、図８（ａ）（ｂ）は、この実施の形態の変更例を示す図であり、特に、図８(ａ）は図１（ｂ）と対比される図であり、図８（ｂ）は図２（ａ）と対比される図である。図８（ａ）（ｂ）において、この変更例では、１枚の円形の両面プリント基板３０が使用される。アンテナ素子４、配線５、スタブ６、および給電点Ｐ１はプリント基板３０の一方側導電層３０ａで形成され、アンテナ素子８、配線９、スタブ１０、および給電点Ｐ２はプリント基板３０の他方側導電層３０ｂで形成され、共振素子３は、対応するアンテナ素子４，８に沿って、プリント基板３０の外側に配置される。なお、図８（ｂ）は、プリント基板３０から他方側導電層３０ｂおよび絶縁基板を除去してアンテナ装置の上方から見た図である。この変更例でも、実施の形態と同じ効果が得られる。
【００３５】
また、図９（ａ）（ｂ）は、この実施の形態の他の変更例を示す図であり、特に、図９(ａ）は図１（ｂ）と対比される図であり、図９（ｂ）は図２（ａ）と対比される図である。図９（ａ）（ｂ）において、この変更例では、１枚の円形の両面プリント基板３０が使用される。共振素子３、アンテナ素子４、配線５、スタブ６、および給電点Ｐ１はプリント基板３０の一方側導電層３０ａで形成され、アンテナ素子８、配線９、スタブ１０、および給電点Ｐ２はプリント基板３０の他方側導電層３０ｂで形成される。共振素子３は、対応するアンテナ素子４，８に沿って、アンテナ素子４，８の内側に配置される。なお、図９（ｂ）は、プリント基板３０から他方側導電層３０ｂおよび絶縁基板を除去してアンテナ装置の上方から見た図である。
【００３６】
ただし、実施の形態では、共振素子３はダイポールアンテナ１３を構成するアンテナ素子４，８に共通に設けられていたのに対し、この変更例では、共振素子３は隣接する２つのダイポールアンテナ１３のうちの一方のダイポールアンテナ１３のアンテナ素子４と他方のダイポールアンテナ１３のアンテナ素子８とに共通に設けられる。換言すると、プリント基板３０の外周である円３１において、時計の１２時の位置を０度とすると、４つの共振素子３は、それぞれ４５度、１３５度、２２５度、および３１５度の位置に形成されている。この変更例でも、実施の形態と同じ効果が得られる。
【００３７】
また、図１０（ａ）〜（ｃ）は、この実施の形態のさらに他の変更例を示す図であって、図２（ａ）〜（ｃ）と対比される図である。図１０（ａ）〜（ｃ）において、この変更例では、円形のプリント基板１，２の代わりに正方形のプリント基板３５，３６が使用される。給電点Ｐ１は、プリント基板３５の表面の外形である正方形３７の中心点に設けられる。４本の配線５は、それぞれ正方形３７の４辺の中点と給電点Ｐ１との間を結ぶように形成される。４つのアンテナ素子４は、それぞれ正方形３７の４辺に沿って設けられ、各アンテナ素子４は対応する辺のうちの中点と一方側端部（給電点Ｐ１から見て右側端部）との間に形成されている。したがって、同じ辺に対応するアンテナ素子４と配線５はＬ字型に形成され、４本の配線５と４つのアンテナ素子４は逆の卍型に形成されている。４本のスタブ６は、それぞれ４本の配線５と直交している。
【００３８】
また、給電点Ｐ２は、プリント基板３６の表面の外形である正方形３８の中心点に設けられる。４本の配線９は、それぞれ正方形３８の４辺の中点と給電点Ｐ２との間を結ぶように形成される。４つのアンテナ素子８は、それぞれ正方形３８の４辺に沿って設けられ、各アンテナ素子８は対応する辺のうちの中点と他方側端部（給電点Ｐ２から見て左側端部）との間に形成されている。したがって、同じ辺に対応するアンテナ素子８と配線１０はＬ字形に形成され、４本の配線１０と４つのアンテナ素子８は卍型に形成されている。４本のスタブ１０は、それぞれ４本の配線９と直交している。
【００３９】
正方形３７，３８は、上下に並行に配置される。上方から見て同じ辺に対応するアンテナ素子４と８は、１つのダイポールアンテナ１３を構成する。また、４つの共振器３は、正方形３７，３８の中間に位置する正方形３９の四隅に配置される。各共振器３は、Ｌ字型に形成されている。共振素子３は、隣接する２つのダイポールアンテナ１３のうちの一方のダイポールアンテナ１３のアンテナ素子４と他方のダイポールアンテナ１３のアンテナ素子８とに共通に設けられる。この変更例でも、実施の形態と同じ効果が得られる。
【００４０】
また、図１１（ａ）〜（ｃ）は、この実施の形態のさらに他の変更例を示す図であって、図２（ａ）〜（ｃ）と対比される図である。図１１（ａ）〜（ｃ）において、この変更例では、円形のプリント基板１，２の代わりに正八角形のプリント基板４０，４１が使用される。給電点Ｐ１は、プリント基板４０の表面の外形である正八角形４２の中心点に設けられる。時計の１２時の位置に正八角形４２の１番目の角を配置すると、４本の配線５は、それぞれ正八角形４２の１番目、３番目、５番目、７番目の角と給電点Ｐ１との間を結ぶように形成されている。４つのアンテナ素子４は、それぞれ正八角形４２の１番目、３番目、５番目、７番目の角の一方側（給電点Ｐ１から見て右側）の辺に沿って設けられている。したがって、同じ角に対応するアンテナ素子４と配線５はＶ字型に形成される。４本のスタブ６は、それぞれ４本の配線５と直交している。
【００４１】
また、給電点Ｐ２は、プリント基板４１の表面の外形である正八角形４３の中心点に設けられる。時計の１２時の位置に正八角形４３の１番目の角を配置すると、４本の配線９は、それぞれ正八角形４３の１番目、３番目、５番目、７番目の角と給電点Ｐ２との間を結ぶように形成されている。４つのアンテナ素子８は、それぞれ正八角形４３の１番目、３番目、５番目、７番目の角の他方側（給電点Ｐ２から見て左側）の辺に沿って設けられている。したがって、同じ角に対応するアンテナ素子８と配線９はＶ字型に形成される。４本のスタブ１０は、それぞれ４本の配線９と直交している。
【００４２】
正八角形４２，４３は、上下に並行に配置される。上方から見て同じ角に対応するアンテナ素子４と８は、１つのダイポールアンテナ１３を構成する。また、４つの共振器３は、正八角形４２，４３の中間に位置する正八角形４４の１番目、３番目、５番目、７番目の角に配置される。各共振器３は、Ｖ字型に形成されている。共振素子３は、対応するダイポールアンテナ１３の２つのアンテナ素子４，８に沿って配置される。この変更例でも、実施の形態と同じ効果が得られる。
【００４３】
なお、上記変更例では、４つのダイポールアンテナ１３を正方形状または正八角形状に配置したが、４つのダイポールアンテナ１３を１２角形以上の４ｎ角形状（ただし、ｎは３以上の整数である）に配置してもよい。また、４よりも大きな偶数のダイポールアンテナ１３を円形または多角形状に配置してもよい。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】この発明の一実施の形態によるアンテナ装置の要部を示す図である。
【図２】図１に示したプリント基板の表面および共振素子を示す図である。
【図３】図１に示したアンテナ装置の要部と電気回路部を示す図である。
【図４】図１に示したアンテナ装置の利得およびＶＳＷＲのＦＭ帯における周波数特性を示す図である。
【図５】図１に示したアンテナ装置の利得およびＶＳＷＲのＵＨＦ帯における周波数特性を示す図である。
【図６】図１に示したアンテナ装置の指向性を示す図である。
【図７】図１に示したアンテナ装置の使用方法を例示する図である。
【図８】この実施の形態の変更例を示す図である。
【図９】この実施の形態の他の変更例を示す図である。
【図１０】この実施の形態のさらに他の変更例を示す図である。
【図１１】この実施の形態のさらに他の変更例を示す図である。
【符号の説明】
【００４６】
１，２，３５，３６，４０，４１  プリント基板、１ａ，２ａ  導電層、３  共振素子、４，８  アンテナ素子、５，９  配線、６，１０  スタブ、７，１１，３１  円、１３  ダイポールアンテナ、１４  同軸線、１５  コンデンサ、１６，１７  コイル、２０  再送信アンテナ、２１  地下街、２２  受信アンテナ、２３  電気／光変換器、２４  光ファイバ、２５  光／電気変換器、２６  電力増幅器、３０  両面プリント基板、３０ａ  一方側導電層、３０ｂ  他方側導電層、３７〜３９  正方形、４２〜４４  正八角形、Ｐ１，Ｐ２  給電点。
【図１】
0004910197.tif 000002
【図２】
0004910197.tif 000003
【図３】
0004910197.tif 000004
【図４】
0004910197.tif 000005
【図５】
0004910197.tif 000006
【図６】
0004910197.tif 000007
【図７】
0004910197.tif 000008
【図８】
0004910197.tif 000009
【図９】
0004910197.tif 000010
【図１０】
0004910197.tif 000011
【図１１】
0004910197.tif 000012